【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
復号化方法であって、
複数の基準ブロックを復号することであって、単一の変換が各基準ブロックのサンプルに適用され、前記複数の基準ブロックの縁は、ピクチャの現在のブロックに隣接している、復号すること、
前記複数の復号された基準ブロックの前記縁に沿って、デブロッキングフィルタを用いてフィルタリングすることによって、複数のフィルタリングされた基準ブロックを得ること、及び
前記複数のフィルタリングされた基準ブロックからイントラ予測することによって前記現在のブロックを復号することであって、単一の変換が前記現在のブロックのサンプルに適用される、復号すること、
を含む、方法。
【請求項２】
前記現在のブロックがクロマブロックであり、前記複数の基準ブロックが前記クロマブロックと同じ位置に配置される複数のルマブロックである、請求項１に記載の復号方法。
【請求項３】
前記複数の基準ブロックが前記現在のブロックと空間的に隣接する複数のブロックである、請求項１に記載の復号方法。
【請求項４】
前記複数の基準ブロックのそれぞれが復号直後にその上端及び左端に沿ってフィルタリングされる、請求項３に記載の復号方法。
【請求項５】
符号化方法であって、
複数の基準ブロックを符号化し再構築することであって、単一の変換が各基準ブロックのサンプルに適用され、前記複数の基準ブロックの縁は、ピクチャの現在のブロックに隣接している、符号化し再構築すること、
前記複数の再構築された基準ブロックの前記縁に沿って、デブロッキングフィルタを用いてフィルタリングすることによって、複数のフィルタリングされた基準ブロックを得ること、  及び
前記複数のフィルタリングされた基準ブロックからイントラ予測することによって前記現在のブロックを符号化することであって、単一の変換が前記現在のブロックのサンプルに適用される、符号化すること、
を含む、方法。
【請求項６】
前記現在のブロックがクロマブロックであり、前記複数の基準ブロックが前記クロマブロックと同じ位置に配置される複数のルマブロックである、請求項５に記載の符号化方法。
【請求項７】
前記複数の基準ブロックが前記現在のブロックと空間的に隣接する複数のブロックである、請求項５に記載の符号化方法。
【請求項８】
前記複数の基準ブロックのそれぞれが再構築直後にその上端及び左端に沿ってフィルタリングされる、請求項７に記載の符号化方法。
【請求項９】
復号装置であって、
複数の基準ブロックを復号する手段であって、単一の変換が各基準ブロックのサンプルに適用され、前記複数の基準ブロックの縁は、ピクチャの現在のブロックに隣接している、復号する手段と、
前記複数の復号された基準ブロックの前記縁に沿って、デブロッキングフィルタを用いてフィルタリングすることによって、複数のフィルタリングされた基準ブロックを得る手段と、
前記複数のフィルタリングされた基準ブロックからイントラ予測することによって前記現在のブロックを復号する手段であって、単一の変換が前記現在のブロックのサンプルに適用される、復号する手段と、
を含む、復号装置。
【請求項１０】
請求項１〜４の何れか一項に記載の復号方法を実行するように構成されている、請求項９に記載の復号装置。
【請求項１１】
コード化装置であって、
複数の基準ブロックを符号化し再構築する手段であって、単一の変換が各基準ブロックのサンプルに適用され、前記複数の基準ブロックの縁は、ピクチャの現在のブロックに隣接している、手段と、
前記複数の再構築された基準ブロックの前記縁に沿って、デブロッキングフィルタを用いてフィルタリングすることによって、複数のフィルタリングされた基準ブロックを得る手段と、
前記複数のフィルタリングされた基準ブロックからイントラ予測することによって前記現在のブロックを符号化する手段であって、単一の変換が前記現在のブロックのサンプルに適用される、手段と、
を含む、コード化装置。
【請求項１２】
請求項５〜８の何れか一項に記載の符号化方法を実行するように構成されている、請求項１１に記載のコード化装置。
【請求項１３】
請求項５乃至８のうち何れか１項に記載の符号化方法に従って、又は請求項１１或いは１２に記載のコード化装置に従って、生成されたデータを備える信号。
【手続補正２】
【補正対象書類名】明細書
【補正対象項目名】００９９
【補正方法】変更
【補正の内容】
【００９９】
幾つかの実装形態を記載してきた。それでもなお、様々な修正を加えることができることが理解されよう。例えば、他の実装形態を作り出すために別の実装形態の要素を組み合わせ、補い、修正し、又は除去することができる。加えて、開示した構造及びプロセスを他の構造及びプロセスが置換しても良く、その結果生じる実装形態が開示した実装形態と少なくともほぼ同じ結果を実現するために、少なくともほぼ同じ機能を少なくともほぼ同じやり方で実行することを当業者なら理解されよう。従って、これらの及び他の実装形態も本願によって予期される。
上述の実施形態の一部又は全部は、以下の付記のように記載され得るが、以下には限定されない。
（付記１）
ピクチャの現在のブロックを復号する方法であって、
複数の基準ブロックを復号することであって、各基準ブロックは同じ変換が適用されるサンプルのブロックである、復号すること、
前記複数の復号された基準ブロックの縁に沿ってデブロッキングフィルタを用いてフィルタリングすること、及び
前記複数のフィルタリングされた基準ブロックからイントラ予測することによって前記現在のブロックを復号することであって、前記現在のブロックは同じ変換が適用されるサンプルのブロックである、復号すること
を含む、方法。
（付記２）
前記現在のブロックがクロマブロックであり、前記複数の基準ブロックが前記クロマブロックと同じ位置に配置される複数のルマブロックである、付記１に記載の復号方法。
（付記３）
前記複数の基準ブロックが前記現在のブロックと空間的に隣接する複数のブロックである、付記１に記載の復号方法。
（付記４）
前記複数の基準ブロックのそれぞれが復号直後にその上端及び左端に沿ってフィルタリングされる、付記３に記載の復号方法。
（付記５）
ピクチャの現在のブロックを符号化する方法であって、
複数の基準ブロックを符号化し再構築することであって、各基準ブロックは同じ変換が適用されるサンプルのブロックである、符号化し再構築すること、
前記複数の再構築された基準ブロックの縁に沿ってデブロッキングフィルタを用いてフィルタリングすること、及び
前記複数のフィルタリングされた基準ブロックからイントラ予測することによって前記現在のブロックを符号化することであって、前記現在のブロックは同じ変換が適用されるサンプルのブロックである、符号化すること
を含む、方法。
（付記６）
前記現在のブロックがクロマブロックであり、前記複数の基準ブロックが前記クロマブロックと同じ位置に配置される複数のルマブロックである、付記５に記載の符号化方法。
（付記７）
前記複数の基準ブロックが前記現在のブロックと空間的に隣接する複数のブロックである、付記５に記載の符号化方法。
（付記８）
前記複数の基準ブロックのそれぞれが再構築直後にその上端及び左端に沿ってフィルタリングされる、付記７に記載の符号化方法。
（付記９）
復号装置であって、
複数の基準ブロックを復号する手段と、
前記複数の復号された基準ブロックの縁に沿ってデブロッキングフィルタを用いてフィルタリングする手段と、
前記複数のフィルタリングされた基準ブロックからイントラ予測することによって現在のブロックを復号する手段と
を含む、復号装置。
（付記１０）
付記１〜４の何れか一項に記載の復号方法を実装するように構成されている、付記９に記載の復号装置。
（付記１１）
コード化装置であって、
複数の基準ブロックを符号化し再構築する手段と、
前記複数の再構築された基準ブロックの縁に沿ってデブロッキングフィルタを用いてフィルタリングする手段と、
前記複数のフィルタリングされた基準ブロックからイントラ予測することによって現在のブロックを符号化する手段と
を含む、コード化装置。
（付記１２）
付記５〜８の何れか一項に記載のコード化方法を実装するように構成されている、付記１１に記載のコード化装置。